(57)【要約】【課題】本発明は、ワンタッチキャップに関し、内容物の液漏れ発生、及び、異物の流入を防止することを課題とする。  【解決手段】カバー部の閉鎖の時に、カバー部がキャップ本体全体を包むように構成することにより、内容物の使用のために持続的にカバー部の開閉の時、キャップ本体の上端とカバー部の下端の間が広がる現象を基本的に防止することができる。【選択図】  図１
2018509353.tif 000002
【特許請求の範囲】
【請求項１】
内容物を貯蔵する容器本体の上部に結合し、前記容器本体に貯蔵した内容物を吐出するように吐出ホールが形成されるキャップ本体と、前記キャップ本体の一側にヒンジ結合して上下回動により、前記吐出ホールを開閉するカバー部で構成されるワンタッチキャップにおいて、
前記キャップ本体の後面部には、前記カバー部がヒンジ結合することができるように、ヒンジ結合部が突出し形成され、前記カバー部が上下に回動する時に、前記ヒンジ結合部との干渉を防止するために、前記ヒンジ結合部と当接する後面一部分が切開し形成され、
前記カバー部が下方向へ回動し、前記吐出ホールを閉鎖した状態で、前記キャップ本体が外部に露出しないように、前記キャップ本体の全体を包むように構成されることを特徴とするワンタッチキャップ。
【請求項２】
前記カバー部の前面部内側は、前記カバー部が下方向へ回動し、前記吐出ホールを閉鎖した状態で、前記キャップ本体に固定し結合するように、固定突起を具備し、前記キャップ本体は、前記固定突起と当接する部分に、前記固定突起を支持して前記キャップ本体が上方向へ回動することを制限する制限突起を具備することを特徴とする請求項１に記載のワンタッチキャップ。
【請求項３】
前記カバー部の前面部外側には、ユーザーが前記カバー部を把持し、上下に回動させることが容易なようにハンドル部が形成されることを特徴とする請求項2に記載のワンタッチキャップ。
【発明の詳細な説明】
【技術分野】
【０００１】
本発明は、ワンタッチキャップに関し、より詳細には、カバー部を閉鎖の時に、カバー部がキャップ本体全体を包むように構成することにより、内容物の使用のために持続的にカバー部を開閉の時に、キャップ本体の上端とカバー部の下端の間が広がる現象を基本的に遮断することができるので、内容物の液漏れ発生、及び、異物流入を防止することができるワンタッチキャップに関する。
【背景技術】
【０００２】
一般的に、ワンタッチキャップは、内容物を貯蔵する容器本体の上部に結合し、内容物を吐出するように吐出ホールが形成されるキャップ本体と、前記キャップ本体の一側にヒンジ結合するカバー部で構成され、カバー部の上下回動を介してキャップ本体に形成された吐出ホールを開閉するように構成されるものであり、このような「ワンタッチキャップ」が韓国登録実用新案第20-0438528号（以下、「登録実用新案」とする。）に開示されている。
【０００３】
前記登録実用新案は、化粧品容器と締結する本体部（10）と、前記本体部（10）から一側がスナップヒンジ（1）によって結合したカバー部（20）で構成された化粧品容器のワンタッチキャップにおいて、
【０００４】
本体部（10）の先端とカバー部（20）の下端を連結し形成するスナップヒンジ（1）の両側部に、干渉回避用の切り取り部（2）（2'）を形成することを特徴とする。
【０００５】
しかし、前記のような従来のワンタッチキャップはカバー部（20）を閉鎖の時に、カバー部（20）の下端部が本体部（10）の上端に停止されるように構成され、内容物の使用のために、カバー部（20）を開閉の時に、本体部（10）の上端とカバー部（20）の下端が相互持続的に接触することによって、本体部（10）の上端とカバー部（20）の下端の間が広がるようになり、広がった空間を介して内容物の液漏れが発生するようになるだけでなく、広がった空間に異物が流入し、ワンタッチキャップの汚染をもたらすようになる問題があった。
【発明の概要】
【発明が解決しようとする課題】
【０００６】
本発明は、上述した問題点を解決するために考案されたものであり、本発明の目的は、カバー部を閉鎖の時に、カバー部がキャップ本体全体を包むように構成することにより、内容物の使用のために持続的にカバー部を開閉の時、キャップ本体の上端とカバー部下端の間が広がる現象を基本的に防止することができるので、内容物の液漏れ発生、及び、異物の流入を防止することができるワンタッチキャップを提供することである。
【課題を解決するための手段】
【０００７】
前記のような問題点を解決するために、本発明に係るワンタッチキャップは、内容物を貯蔵する容器本体の上部に結合し、前記容器本体に貯蔵した内容物を吐出するように吐出ホールが形成されるキャップ本体と、前記キャップ本体の一側にヒンジ結合し、上下回動により、前記吐出ホールを開閉するカバー部で構成されるワンタッチキャップにおいて、
前記キャップ本体の後面部には、前記カバー部がヒンジ結合することができるように
ヒンジ結合部が突出し形成され、前記カバー部は、上下回動の時に、前記ヒンジ結合部の干渉を防止するために、前記ヒンジ結合部と当接する後面の一部分が切開し形成され、
前記カバー部は下方向へ回動し、前記吐出ホールを閉鎖した状態で、前記キャップ本体が外部に露出しないように、前記キャップ本体の全体を包むように構成されることを特徴とする。
【０００８】
また、前記カバー部の前面部内側には、前記カバー部が下方向へ回動し、前記吐出ホールを閉鎖した状態で、キャップ本体に固定し結合するように固定突起を具備し、前記キャップ本体には前記固定突起と当接する部分に前記固定突起を支持し、キャップ本体が上方向へ回動することを制限する制限突起を具備することを特徴とする。
【０００９】
また、前記カバー部の前面部外側には、ユーザーが前記カバー部を把持し、上下回動させることが容易なようにハンドル部が形成されることを特徴とする。
【発明の効果】
【００１０】
以上のように、本発明によれば、カバー部の閉鎖の時にカバー部がキャップ本体全体を包むように構成することにより、内容物の使用のために持続的にカバー部を開閉の時、キャップ本体の上端とカバー部の下端の間が広がる現象を基本的に防止することができるので、内容物の液漏れ発生、及び、異物の流入を防止することができる長所がある。
【図面の簡単な説明】
【００１１】
【図１】本発明の好ましい実施例に係るワンタッチキャップの構成を示す分解斜視図である。
【図２】本発明の好ましい実施例に係るワンタッチキャップのカバー部が開放された状態を示す側面図である。
【図３】本発明の好ましい実施例に係るワンタッチキャップのカバー部が閉鎖された状態を示す側面図である。
【図４】本発明の好ましい実施例に係るワンタッチキャップのカバー部が閉鎖された状態を示す背面図である。
【図５】本発明の好ましい実施例に係るワンタッチキャップが容器本体に組立された状態を示す断面図である。
【発明を実施するための形態】
【００１２】
以下、図面を参照して本発明を詳細に説明する。各図面に提示された同一の参照符号は、同一の部材を示す。
【００１３】
図1は、本発明の好ましい実施例に係るワンタッチキャップの構成を示す分解斜視図であり、図2は、本発明の好ましい実施例に係るワンタッチキャップのカバー部が開放された状態を示す側面図である。
【００１４】
図3は、本発明の好ましい実施例に係るワンタッチキャップのカバー部が閉鎖された状態を示す側面図であり、図4は、本発明の好ましい実施例に係るワンタッチキャップのカバー部が閉鎖された状態を示す後面部図であり、図5は、本発明の好ましい実施例に係るワンタッチキャップが容器本体に組立られた状態を示す断面図である。
【００１５】
図1〜5を参照すると、本発明の好ましい実施例に係るワンタッチキャップはキャップ本体（100）、カバー部（200）を含む。
【００１６】
前記キャップ本体（100）は、内容物を貯蔵する容器本体（10）の上部に結合するものであり、その中央部には、前記容器本体（10）に貯蔵した内容物を吐出するように吐出ホール（110）が形成される。
【００１７】
また、前記キャップ本体（100）には、後述するカバー部（200）が前記吐出ホール（110）を閉鎖した状態で、カバー部（200）の固定突起（220）を支持し、キャップ本体（100）が上方向へ回動することを制限する制限突起（120）を具備し、前記制限突起（120）は、簡単には、固定突起（220）と当接するキャップ本体（100）の前面部上部のみに形成されることが可能であり、キャップ本体（100）の上部外周面を取り囲んで形成されることもできる。
【００１８】
本発明において、前記キャップ本体（100）の後面部は、カバー部（200）がヒンジ結合されることができるように突出し形成されるヒンジ結合部（130）を具備することを特徴として、前記ヒンジ結合部（130）は、キャップ本体（100）の後面部外周面から突出し形成され、ヒンジ（240）がキャップ本体（100）から離間された状態で位置するようにすることで、カバー部（200）を下方向へ回動して閉鎖の時、カバー部（200）がキャップ本体（100）全体を包んで閉鎖されることができる。このとき、カバー部（200）の周囲は、キャップ本体（100）全体を包むことができるようにキャップ本体（100）の周囲よりもその大きさが大きく形成される。
【００１９】
また、前記ヒンジ結合部（130）は、カバー部（200）がキャップ本体（100）全体を包んで閉鎖された状態で、カバー部（200）の切開された部分との空間が発生することを防止するようにキャップ本体（100）の後面部下死点から所定の高さで形成されることが好ましい。
【００２０】
前記カバー部（200）は、前記キャップ本体（100）の一側にヒンジ結合され、上下回動により、前記吐出ホール（110）を開閉するものであり、その内側には、前記吐出ホール（110）を開閉する開閉突起（210）を具備する。
【００２１】
また、前記カバー部（200）の前面部の内側には、カバー部（200）が下方向へ回動し、前記吐出ホール（110）を閉鎖した状態で、キャップ本体（100）に固定し結合することができるように、制限突起（120）によって支持される固定突起（220）を具備し、前記固定突起（220）は、普段保管状態で、前記制限突起（120）によって支持され、カバー部（200）が上方向へ回動して開放されることを遮断し、ユーザーが一定の力を加える場合に制限突起（120）から外れ、カバー部（200）の上方向回動ができる。
【００２２】
本発明において、前記カバー部（200）は、ヒンジ結合部（130）にヒンジ（240）結合した状態で上下に回動可能なように構成され、下方向へ回動し、前記吐出ホール（110）を閉鎖した状態で、前記キャップ本体（100）が外部に露出しないようにキャップ本体（100）の全体を包むように構成されることが特徴であり、このために前記カバー部（200）の高さはキャップ本体（100）を収容するほどの高さで形成されることが好ましい。
【００２３】
また、前記カバー部（200）は、ユーザーの操作による上下回動の時に、前記ヒンジ結合部（130）との干渉が発生することを防止するように、前記ヒンジ結合部（130）と当接する後面の一部分が切開し形成され、ヒンジ結合部（130）と、カバー部（200）の切開部分の間に空間が発生しないように、前記ヒンジ結合部（130）に対応する形状で切開し形成されることが好ましい。
【００２４】
一方、前記カバー部（200）の前面部外側には、ユーザーが前記カバー部（200）を把持し、上下に回動させることが容易なようにハンドル部（230）が形成されることが好ましい。
【００２５】
本発明は、前述したように、カバー部（200）を閉鎖の時、カバー部（200）がキャップ本体（100）全体を包むようにワンタッチキャップの構造を新たに構成したことが特徴である。これにより、カバー部（200）の開閉の時に、キャップ本体（100）の上端と、カバー部（200）の下端が相互当接されない構造なので、持続的なカバー部の開閉によりキャップ本体の上端と、カバー部下端の間が広がる現象を基本的に防止することができる。
【００２６】
図面と明細書で最適の実施例を開示する。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められる。
【図１】
2018509353.tif 000003
【図２】
2018509353.tif 000004
【図３】
2018509353.tif 000005
【図４】
2018509353.tif 000006
【図５】
2018509353.tif 000007
【国際調査報告】
2018509353.tif 000008
2018509353.tif 000009
2018509353.tif 000010
2018509353.tif 000011